(57)【要約】【課題】  インクジェットプリンタ複合機の小型薄型を図りつつ、複合機の筐体の剛性を向上させ、さらに、記録領域のジャム処理性を損なわないインクジェットプリンタ複合機を提供することを目的とする。【解決手段】  記録領域３６４において記録紙に画像を記録する画像記録部３６と、記録紙が排紙される排紙トレイ４０５と、原稿台ガラス５０上の原稿の画像を読み取るスキャナ部１６と、筐体１８と、排紙トレイ４０５に排紙された記録紙を取り出せるように筐体の前面２０に形成される給排紙開口部２２と、記録領域３６４と対向するように筐体１８の上面２３に形成された経路開口部２６と、経路開口部２６を開放または閉塞可能な経路カバー３０とを備え、原稿台ガラス５０は、記録領域３６の少なくとも一部と上下方向において重ならないように、筐体１８の両側壁２１に架け渡された状態で固定される複合機１０。【選択図】      図１
2011205178.tif 000002
【特許請求の範囲】
【請求項１】
インクを吐出する吐出面と、記録媒体を前記吐出面と対向するように支持する支持部とを備え、前記支持部における記録領域において記録媒体に画像を記録する記録部と、
記録媒体を前記支持部に向けて搬送する搬送部と、
前記記録部により画像が記録された記録媒体が排出される排出部と、
原稿台ガラスに載置された原稿の画像を読み取る読取部と、
左右方向に一対の側壁を有し、前記搬送部と前記読取部と前記記録領域とを支持する筐体と、
前記排出部に排出された記録媒体を取り出せるように前記筐体の前面に形成された第１開口と、
前記記録領域の少なくとも一部と対向するように前記筐体の上面に形成された第２開口と、
前記第２開口を開放する開放位置と閉塞する閉塞位置とに移動可能な第１カバーとを備え、
前記記録部は前記筐体の後方側、前記原稿台ガラスは前記筐体の前方側に配置され、
前記原稿台ガラスは、前記記録領域の少なくとも一部と上下方向において重ならないように、前記筐体の前記一対の側壁に架け渡された状態で固定されるインクジェットプリンタ複合機。
【請求項２】
前記原稿台ガラスの前端部は、前記筐体における前記第１開口の両側端部において前記筐体に対して固定される請求項１に記載のインクジェットプリンタ複合機。
【請求項３】
前記原稿台ガラスは、原稿が載置される長方形の原稿載置面を有しており、
前記記録部と前記原稿台ガラスとは、前記記録部における記録媒体の搬送方向と前記原稿載置面の長手方向とが直交するように配置される請求項１または２に記載のインクジェットプリンタ複合機。
【請求項４】
前記原稿載置面が前端側から後端側に向けて上方に傾斜するように配置されている請求項３に記載のインクジェットプリンタ複合機。
【請求項５】
前記記録部より下方に配置され、前記筐体に挿抜可能であり、記録媒体が収容される収容部をさらに備え、
前記搬送部は、前記収容部に収容された記録媒体が前記筐体の前面側から後面側へ搬送し、前記筐体の前記後面側で前記筐体の前面側へＵターンされるように形成された湾曲搬送路を備えており、
前記湾曲搬送路と対向するように前記筐体に形成された第３開口と、
前記第３開口を開放する開放位置と閉塞する閉塞位置とに移動可能であり、記録媒体が前記湾曲搬送路に沿って搬送されるように記録媒体をガイドするガイド部材を備えた第２カバーとをさらに備える請求項１から４のいずれかに記載のインクジェットプリンタ複合機。
【請求項６】
前記第１カバーと前記第２カバーとが、一体に構成される請求項５に記載のインクジェットプリンタ複合機。
【請求項７】
前記第１カバーは、前記第２開口を開放する前記開放位置において記録媒体が載置される記録媒体載置面を備え、
前記搬送部は、前記記録媒体載置面に載置された記録媒体が前記記録部に向かって搬送される載置搬送路を備える請求項１から５のいずれかに記載のインクジェットプリンタ複合機。
【請求項８】
前記第１カバーは、前記第カバーに配置されて、前記記録媒体載置面から記録媒体の搬送方向に沿って立設し、記録媒体をガイドするガイド部を備える請求項７に記載のインクジェットプリンタ複合機。
【請求項９】
音声信号に基づく音声を送受話器から入出力する電話機能をさらに備え、
前記送受話器は、前記筐体に対して着脱可能であり、前記筐体に装着された状態で前記原稿台ガラスよりも後方に位置するように配置される請求項１から８のいずれかに記載のインクジェットプリンタ複合機。
【請求項１０】
前記原稿台ガラスは、原稿が載置される長方形の原稿載置面を有しており、
前記原稿載置面を開放する開放位置と被覆する被覆位置とに回動可能な第３カバーと、
前記原稿載置面よりも前方及び後方にそれぞれ位置する前記第３カバーの両端部にそれぞれ設けられた２つの回動軸部と、
前記原稿載置面よりも前方及び後方において前記筐体にそれぞれ配置され、前記両回動軸部を着脱可能に支持する２つの軸支持部とをさらに備え、
前記第３カバーが、一方の前記回動軸部を中心として回動するときは他方の前記回動軸部は対応する前記軸支持部から離脱し、前記他方の前記回動軸部を中心として回動するときは前記一方の前記回動軸部は対応する前記軸支持部から離脱する請求項１から９のいずれかに記載のインクジェットプリンタ複合機。
【請求項１１】
インクを収容するカートリッジが装着可能なカートリッジ装着部と、
前記カートリッジが前記カートリッジ装着部に対して挿入または抜去されるように前記前記カートリッジ装着部と対向して前記筐体に形成された第４開口と、
前記第４開口を開放する開放位置と閉塞する閉塞位置とに移動可能な第４カバーとをさらに備える請求項１から１０のいずれかに記載のインクジェットプリンタ複合機。
【請求項１２】
前記第４開口は、前記筐体の前面に形成される請求項１１に記載のインクジェットプリンタ複合機。
【発明の詳細な説明】
【技術分野】
【０００１】
本発明は、画像を記録する記録部と原稿を読み取る読取部とを備えた薄型のインクジェットプリンタ複合機に関し、より詳細には、記録部が収容される筐体に、読取部における原稿を載置する原稿台ガラスを固定して配置したものである。
【背景技術】
【０００２】
特許文献１に記載のインクジェットプリンタ複合機は、プリンタユニットを支持する筐体を備えている。プリンタユニットは、記録領域においてインクを吐出して記録媒体に画像を記録する記録部と、記録媒体を記録部に向けて搬送する搬送部と、記録媒体を入れる給紙スペースと記録済みの記録媒体が排出される排紙スペースとを備えている。プリンタユニットを支持する筐体の前面には、給排紙スペースが配置されるための大きな開口が形成されている。さらに、この複合機は、筐体の上部にフラットベッドスキャナユニットを備えており、このフラットベッドスキャナユニットは、原稿が載置されるプラテンガラスを備えている。フラットベッドスキャナユニットは、プリンタ複合機の後方側を軸として、筐体に対して回動可能に支持されている。記録領域とプラテンガラスとは上下方向において重なる位置に配置されており、フラットベッドスキャナユニットを回動することにより記録領域の上部が開放される。これにより、使用者による記録領域のジャム処理が可能となる。
【先行技術文献】
【特許文献】
【０００３】
【特許文献１】特開２００７−２７４４１３号公報
【発明の概要】
【発明が解決しようとする課題】
【０００４】
特許文献１に記載のインクジェットプリンタ複合機が、左右方向の中央部の下に支えがない場所に載置されて使用される場合に、剛性の高いプラテンガラスを備えたフラットベッドスキャナユニットは、プラテンガラスが十分な剛性を有するため、そのユニットの中央部に撓みはほとんど生じない。一方、プリンタユニットを支持する筐体は、製品の小型化を求められる結果、筐体剛性が低い。そして、筐体の後方側はフラットベットスキャナユニットが軸を介して固定されているが、筐体の前方側はフラットベットスキャナユニットが固定されていない。さらに、筐体の前方側には給紙スペース及び排紙スペースが形成され、それらが配置されるための大きな開口が筐体の前面に形成されている。そのため、左右方向の中央部の下に支えがない場合に、筐体は、筐体の中央部が撓むとともに、筐体の一対の側壁が互いに離間するようにゆがんでしまう。このように、筐体がゆがんだ状態で使用された場合には、筐体に支持されるプリンタユニットがゆがんでしまい、記録媒体の搬送精度が低下し、記録される画像の品質が低下する恐れがある。
【０００５】
そこで、プリンタユニットの補強を行うために、剛性の高い部材を新たに設けると、インクジェットプリンタ複合機を小型薄型化できない。そこで、剛性の高いプラテンガラスを筐体に固定して補強部材として兼用することが考えられるが、その場合には使用者による記録領域のジャム処理性を損なわないようにする必要がある。
【０００６】
本発明は、上記課題を解決すべくなされたものであり、その目的は、インクジェットプリンタ複合機の小型薄型を図りつつ、複合機の筐体の剛性を向上させ、さらに、記録領域のジャム処理性を損なわないインクジェットプリンタ複合機を提供することにある。
【課題を解決するための手段】
【０００７】
請求項１に記載のインクジェットプリンタ複合機は、インクを吐出する吐出面と、記録媒体を前記吐出面と対向するように支持する支持部とを備え、前記支持部における記録領域において記録媒体に画像を記録する記録部と、記録媒体を前記支持部に向けて搬送する搬送部と、前記記録部により画像が記録された記録媒体が排出される排出部と、原稿台ガラスに載置された原稿の画像を読み取る読取部と、左右方向に一対の側壁を有し、前記搬送部と前記原稿台ガラスと前記記録領域とを支持する筐体と、前記排出部に排出された記録媒体を取り出せるように前記筐体の前面に形成された第１開口と、前記記録領域の少なくとも一部と対向するように前記筐体の上面に形成された第２開口と、前記第２開口を開放する開放位置と閉塞する閉塞位置とに移動可能な第１カバーとを備え、前記記録部は前記筐体の後方側、前記原稿台ガラスは前記筐体の前方側に配置され、前記原稿台ガラスは、前記記録領域の少なくとも一部と上下方向において重ならないように、前記筐体の前記一対の側壁に架け渡された状態で固定される。
【０００８】
この構成により、筐体は剛性の高い原稿台ガラスにより補強されるため、筐体の左右方向の中央部が下から支えられておらず、筐体に対して、筐体の中央部が撓むような力が働いたとしても、筐体のゆがみは抑制される。そのため、筐体の左右方向の中央部が下から支えられない場所に筐体が載置された場合であっても、筐体のゆがみを抑制することにより、筐体に支持される搬送部による搬送精度の低下を抑制し、画像品質の低下を抑制することができる。また、第１カバーを開放位置に移動させることにより記録領域が開放され、使用者による記録領域でのジャム処理が容易になる。これにより、記録領域のジャム処理を行う場合に、使用者は、記録領域のジャム処理の際に重量物である原稿台ガラスを記録領域から移動させる必要がなく、第１カバーを開放位置に移動させる操作のみで良いため、記録領域でのジャム処理に関して使用者にかかる負担を軽減できる。
【０００９】
請求項２に記載のインクジェットプリンタ複合機において、前記原稿台ガラスの前端部は、前記筐体における前記第１開口の両側端部において前記筐体に対して固定される。
【００１０】
この構成によれば、原稿台ガラスの前端部が、筐体における第１開口の両側端部において筐体に対して固定されているため、筐体の左右方向の中央部が下から支えられていない場合であっても、原稿台ガラスの前端部が筐体における第１開口の両側端部に固定されているため、筐体の中央部が撓むのを抑制することができる。従って、筐体のゆがみを抑制することができる。
【００１１】
請求項３に記載のインクジェットプリンタ複合機において、前記原稿台ガラスは、原稿が載置される長方形の原稿載置面を有しており、前記記録部と前記原稿台ガラスとは、前記記録部における記録媒体の搬送方向と前記原稿載置面の長手方向とが直交するように配置される。
【００１２】
この構成により、インクジェットプリンタ複合機の前後方向の寸法を小さくすることができる。
【００１３】
請求項４に記載のインクジェットプリンタ複合機において、前記原稿載置面が前端側から後端側に向けて上方に傾斜するように配置されている。
【００１４】
この構成により、筐体の下端部と原稿台ガラスとが平行に配置されておらず、筐体の下端部から原稿台ガラスまでの距離は、筐体の後方側よりも前方側の方が小さくなる。筐体の左右方向の中央部が下から支えられていない場合に、インクジェットプリンタ複合機内部の各種装置の重量により筐体の左右方向の中央が下方に撓む。筐体の中央部が下方に撓むと、筐体の側壁は、各側壁の下端部同士が互いに離間するように傾斜する。このとき、筐体の下端部から原稿台ガラスまでの距離は、筐体の後方側よりも前方側の方が小さいため、筐体の側壁における左右方向の変位量は、筐体の後方側よりも前方側の方が小さい。そのため、筐体の撓みが、筐体の前方側に配置される部材、例えばインクカートリッジや基板などに与える影響を低減することができる。
【００１５】
請求項５に記載のインクジェットプリンタ複合機は、前記記録部より下方に配置され、前記筐体に挿抜可能であり、記録媒体が収容される収容部をさらに備え、前記搬送部は、前記収容部に収容された記録媒体が前記筐体の前面側から後面側へ搬送し、前記筐体の前記後面側で前記筐体の前面側へＵターンされるように形成された湾曲搬送路を備えており、前記湾曲搬送路と対向するように前記筐体に形成された第３開口と、前記第３開口を開放する開放位置と閉塞する閉塞位置とに移動可能であり、記録媒体が前記湾曲搬送路に沿って搬送されるように記録媒体をガイドするガイド部材を備えた第２カバーとをさらに備える。
【００１６】
この構成により、第２カバーを開放位置に移動させることにより、湾曲搬送路が露出されるため、使用者による湾曲搬送路のジャム処理が可能である。
【００１７】
請求項６に記載のインクジェットプリンタ複合機において、前記第１カバーと前記第２カバーとが、一体に構成される。
【００１８】
この構成により、第２開口及び第３開口は、第１カバーと第２カバーとが一体に構成された１つのカバーを開放位置に移動させることで、開放される。これにより、記録領域と湾曲搬送路とのジャム処理を行うために、使用者は第１カバーと第２カバーとが一体に構成された１つのカバーを開放位置に移動させるだけで良く、使い勝手が良い。
【００１９】
請求項７に記載のインクジェットプリンタ複合機は、前記第１カバーは、前記第２開口を開放する前記開放位置において記録媒体が載置される記録媒体載置面を備え、前記搬送部は、前記記録媒体載置面に載置された記録媒体が前記記録部に向かって搬送される載置搬送路を備える。
【００２０】
この構成により、第１カバーが前記開放位置にあるとき、記録媒体が記録媒体載置面に載置され、記録媒体載置面に載置された記録媒体は載置搬送路を搬送されて記録部に搬送される。これにより、第１カバーは、第３開口を開放及び閉塞する部材としての役割と、記録媒体が載置される部材としての役割とが兼用される。
【００２１】
請求項８に記載のインクジェットプリンタ複合機において、前記第１カバーは、前記第カバーに配置されて、前記記録媒体載置面から記録媒体の搬送方向に沿って立設し、記録媒体をガイドするガイド部を備える。
【００２２】
この構成により、第１カバーに配置されたガイド部により記録媒体の搬送方向に延びる端がガイドされるため、記録媒体の斜行が防止できる。
【００２３】
請求項９に記載のインクジェットプリンタ複合機において、音声信号に基づく音声を送受話器から入出力する電話機能をさらに備え、前記送受話器は、前記筐体に対して着脱可能であり、前記筐体に装着された状態で前記原稿台ガラスよりも後方に位置するように配置される。
【００２４】
この構成により、原稿台ガラスの後方に送受話器が配置されることで、原稿台ガラスの後方の空間を有効に活用できる。つまり、送受話器を筐体に装着した場合であっても、インクジェットプリンタ複合機の設置面積が増大しない。したがって、インクジェットプリンタ複合機が小型化できる。
【００２５】
請求項１０に記載のインクジェットプリンタ複合機において、前記原稿台ガラスは、原稿が載置される長方形の原稿載置面を有しており、前記原稿載置面を開放する開放位置と被覆する被覆位置とに回動可能な第３カバーと、前記原稿載置面よりも前方及び後方にそれぞれ位置する前記第３カバーの両端部にそれぞれ設けられた２つの回動軸部と、前記原稿載置面よりも前方及び後方において前記筐体にそれぞれ配置され、前記両回動軸部を着脱可能に支持する２つの軸支持部とをさらに備え、前記第３カバーが、一方の前記回動軸部を中心として回動するときは他方の前記回動軸部は対応する前記軸支持部から離脱し、前記他方の前記回動軸部を中心として回動するときは前記一方の前記回動軸部は対応する前記軸支持部から離脱する。
【００２６】
この構成により、第３カバーの２つの回動軸部を着脱可能に支持する２つの軸支持部は、筐体の前方及び後方に配置されている。そのため、使用者は、筐体の前方側から、または筐体の後方側から、開放位置に第３カバーを回動させることができる。これにより、送受話器が原稿台ガラスの後方に装着された場合であっても、筐体の後方側から第３カバーを回動させることができ使い勝手が良い。
【００２７】
請求項１１に記載のインクジェットプリンタ複合機は、インクを収容するカートリッジが装着可能なカートリッジ装着部と、前記カートリッジが前記カートリッジ装着部に対して挿入または抜去されるように前記前記カートリッジ装着部と対向して前記筐体に形成された第４開口と、前記第４開口を開放する開放位置と閉塞する閉塞位置とに移動可能な第４カバーとをさらに備える。
【００２８】
この構成により、カートリッジは第４開口からカートリッジ装着部に対して挿入または抜去される。これにより、カートリッジをインクジェットプリンタ複合機に対して簡単に挿入または抜去させることができる。
【００２９】
請求項１２に記載のインクジェットプリンタ複合機は、前記第４開口は、前記筐体の前面に形成される。
【００３０】
この構成により、使用者による第３開口へのアクセスが筐体の前面側から行えるため、操作性が良い。また、筐体の前面側は第１開口及び第３開口が配置されることにより強度が不足し、筐体の左右方向の中央部が下から支えられていない場合に特に撓みが生じやすい。しかし、剛性の高い原稿台ガラスが筐体の上部に固定して配置され筐体を補強しているため、強度が不足する筐体の前面側においても撓みを防止できる。
【発明の効果】
【００３１】
本発明のインクジェットプリンタ複合機によれば、複合機の小型薄型を図りつつ、複合機の筐体の剛性を向上させ、さらに、記録領域のジャム処理性を損なうことがない。
【図面の簡単な説明】
【００３２】
【図１】本発明の第１実施形態にかかる複合機１０の外観斜視図
【図２】本発明の第１実施形態にかかる複合機１０の前面２０を表す外観斜視図
【図３】本発明の第１実施形態にかかる複合機１０において経路カバー３０が閉塞位置に位置する場合の概略断面図
【図４】本発明の第１実施形態にかかる複合機１０において経路カバー３０が開放位置に位置する場合の概略断面図
【図５】本発明の第１実施形態にかかる記録ヘッド３６１を下方から見た図
【図６】本発明の第１実施形態にかかる複合機１０の外観の概略上面図
【図７】本発明の第１実施形態にかかるスキャナ筐体部１７を前方斜め上から見た場合の外観斜視図
【図８】本発明の第１実施形態にかかるスキャナ筐体部１７を後方斜め上から見た場合の外観斜視図
【図９】本発明の第２実施形態にかかる複合機１０の外観斜視図
【図１０】本発明の第２実施形態にかかる複合機１０の概略断面図
【図１１】本発明の第２実施形態にかかるスキャナ部１６の概略模式図
【図１２】本発明の第３実施形態にかかる複合機１０の概略断面図
【図１３】本発明の第４実施形態にかかる複合機１０の概略断面図
【発明を実施するための形態】
【００３３】
以下、適宜図面を参照して、本発明の好ましい実施形態について説明する。
【００３４】
［第１実施形態］
以下の説明においては、複合機１０が使用可能に設置された図１に示す状態を基準として上下方向１を定義し、給排紙開口部２２が設けられている側を前側として前後方向２を定義し、複合機１０を前側から見て左右方向３を定義する。
【００３５】
複合機１０は、プリンタ部１４とスキャナ部１６とを備え、プリンタ機能、スキャナ機能、コピー機能、ファクシミリ機能などを有する多機能装置である。複合機１０は、プリンタ部１４のフレームを構成する筐体１８及びスキャナ部１６のフレームを構成するスキャナ筐体部１７を有する。
【００３６】
［筐体１８の構成］
図１に示すように、筐体１８は、上下方向よりも、左右方向及び前後方向のほうが長い概ね直方体であり、左右方向に一対の側壁２１を有する。筐体１８は、その内部にプリンタ部を支持し、前面２０に複数の操作ボタン１２を支持している。また、筐体１８は、その上部にスキャナ筐体部１７が筐体１８の両側壁２１に架け渡されるように固定されている。また、筐体１８には、給排紙開口部２２とカートリッジ開口部２４（図２参照）と経路開口部２６とカートリッジカバー２８と経路カバー３０とが配置されている。筐体１８は複数の部材を組み合わせて構成されている。なお、複数の操作ボタン１２から入力された指示内容は、複合機１０の制御部（不図示）に伝達される。筐体１８は、樹脂により形成され、より好ましくはＡＢＳ樹脂（アクリロニトリル-ブタジエン-スチレン樹脂）やＰＳ−ＨＩ（ハイインパクトポリスチレン）により形成される。
【００３７】
給排紙開口部２２は、筐体１８の前面２０における下方側であって、左右方向の中央部に配置されている。給排紙開口部２２は、上下方向よりも左右方向のほうが長い概ね長方形である。給排紙開口部２２の下端は筐体１８の下端に位置し、給排紙開口部２２の上端は筐体１８の上下方向の概ね中央に位置する。また、給排紙開口部２２の左右方向の長さは、前面２０の左右方向の長さの半分よりも大きい。給排紙開口部２２は、後述する給紙カセット３２１及び排紙トレイ４０５（図３参照）が配置されるための開口である。
【００３８】
カートリッジ開口部２４は、筐体１８の前面２０における右端側に、給排紙開口部２２に隣接して配置されている。カートリッジ開口部２４は、左右方向よりも上下方向のほうが長い概ね長方形である。カートリッジ開口部２４は、後述するインクカートリッジ（不図示）がカートリッジ装着部４２に対して挿入または抜去されるための開口である。
【００３９】
経路開口部２６は、筐体１８の後面から筐体１８の上面２３の後方側までに亘って、左右方向の中央部に配置されている。経路開口部２６の下端は、筐体１８の下端付近に位置する。経路開口部２６の左右方向の長さ及び位置は、給排紙開口部２２の左右方向の長さ及び位置と概ね等しい。経路開口部２６は、後述する主搬送路３４１及び記録領域３６４（図３参照）の上部を開放するための開口である。
【００４０】
カートリッジカバー２８は、カートリッジ開口部２４を覆うカバー部材である。カートリッジカバー２８上下及び左右方向の長さは、カートリッジ開口部２４の上下及び左右方向の長さと概ね同じである。カートリッジカバー２８は、その下端部を回動軸心として、カートリッジ開口部２４を閉塞する閉塞位置（不図示）と開放する開放位置とに回動可能である。なお、カートリッジカバー２８の開放位置は図２に示される位置である。
【００４１】
経路カバー３０は、経路開口部２６を覆うカバー部材である。経路カバー３０の前後及び左右方向の長さは、経路開口部２６の前後及び左右方向の長さと概ね同じである。経路カバー３０は、複合機１０の内部側を中心とした概ね円弧状である。経路カバー３０は、その下端部を回動軸３０１（図３参照）として、カートリッジ開口部２４を閉塞する閉塞位置と開放する開放位置とに回動可能である。なお、経路カバー３０の閉塞位置は図３に示される位置であり、開放位置は図４に示される位置である。
【００４２】
［プリンタ部１４の構成］
プリンタ部１４は、筐体１８の内部に配置されている。図３に示すように、プリンタ部１４は、給紙部３２と、主搬送部３４と、画像記録部３６と、排紙部４０と、カートリッジ装着部４２（図１参照）とを有し、それぞれが筐体１８に支持されている。主搬送部３４は、給紙部３２から給紙された記録紙を、画像記録部３６に搬送する。画像記録部３６にインクを供給するインクカートリッジがカートリッジ装着部４２に装着される。以下、各構成について説明する。
【００４３】
［給紙部３２］
給紙部３２は、筐体１８の下方に配置され、記録紙を積載可能な給紙カセット３２１と、給紙機構３２２とを有する。給紙機構３２２により給紙された記録紙は、主搬送部３４により画像記録部３６に案内され、画像記録部３６によって画像が記録される。
【００４４】
給紙カセット３２１は、筐体１８の底部に配置される。給紙カセット３２１は、上面が開放された箱状の部材であり、左右方向及び上下方向よりも前後方向のほうが長い概ね直方体である。給紙カセット３２１には、各種サイズの記録紙が積載可能である。給紙カセット３２１の左右方向の長さは、給排紙開口部２２の左右方向の長さよりも小さい。給紙カセット３２１の前後方向の長さは、筐体１８の前後方向の長さよりも小さい。給紙カセット３２１の上下方向の長さは、給排紙開口部２２の上下方向の長さの概ね半分である。給紙カセット３２１は、給排紙開口部２２から筐体１８に対して前後方向に挿入されて、筐体１８の底部に配置される。給紙カセット３２１が筐体１８に挿入された状態で、給紙カセット３２１の後端は筐体１８の後端部に位置し、給紙カセット３２１の前端は筐体１８の前端部に位置する。
【００４５】
給紙機構３２２は、給紙カセット３２１の後方側の上方に配置される。給紙機構３２２の基本的構成は公知であり、その構成は、例えば特開２００５−２４７５４２号公報などに示される。以下、簡単に給紙機構３２２の構成を説明する。給紙機構３２２は、給紙カセット３２１に積載された記録紙を給紙する給紙ローラ３２３と、給紙ローラ３２３を支持する支持アーム３２４とを有する。
【００４６】
給紙ローラ３２３は、支持アーム３２４に回転可能に設けられ、かつ、給紙カセット３２１に積載された記録紙に接離可能に設けられている。給紙ローラ３２３は、駆動源であるＬＦモータ（不図示）に連結される。給紙ローラ３２３は、複数のギアからなる第１伝達機構（不図示）を介してＬＦモータの回転が伝達されて回転する。
【００４７】
支持アーム３２４は、一方の端部に給紙ローラ３２３を回転可能に支持し、他方の端側が軸３２５を介して筐体１８に支持される棒状の部材である。支持アーム３２４は、軸３２５を中心として回動可能である。支持アーム３２４は、自重、または、バネの付勢力により給紙ローラ３２３が下方に移動する向きに回転力を受けている。これにより、給紙ローラ３２３は、給紙カセット３２１に積載された記録紙の後方側の上面に当接し、記録紙を後方に向けて搬送する。なお、給紙カセット３２１が挿抜される際には、支持アーム３２４は、自重、または、バネの付勢力に抗して給紙ローラ３２３が上方に移動するように軸３２５を中心に回動する。これにより、給紙ローラ３２３は、上方に移動して給紙カセット３２１の挿抜領域から退避する。
【００４８】
［主搬送部３４］
主搬送部３４は、筐体１８の後方側の下部に配置される。主搬送部３４は、より詳細には、給紙カセット３２１の後端の上方から給紙ローラ３２３の上方までに亘って配置される。主搬送部３４は、給紙カセット３２１から搬送された記録紙を画像記録部３６に向けて搬送する。主搬送部３４によって搬送される記録紙は、主搬送路３４１上を搬送される。主搬送部３４は、記録紙が主搬送路３４１上を搬送されるように記録紙を案内する第１ガイド部３４２及び第２ガイド部３４３と、記録紙を搬送する搬送ローラ対３４６とを有する。
【００４９】
第１ガイド部３４２は、経路カバー３０の下部かつ内部側に配置されており、経路カバー３０と一体的に設けられている。経路カバー３０が経路開口部２６を閉塞する閉塞位置に位置するとき、第１ガイド部３４２は、筐体１８の後端部に配置され、給紙カセット３２１の上端付近から前方斜め上へ向かって湾曲するように延設される。第１ガイド部３４２の左右方向の長さ及び位置は、給紙カセット３２１の左右方向の長さ及び位置と概ね同じである。第１ガイド部３４２の上端の高さは、筐体１８の高さの概ね半分の高さである。第１ガイド部３４２は、主搬送路３４１の上流側に設けられており、給紙カセット３２１から搬送された記録紙が主搬送路３４１上を搬送されるように記録紙を案内する。
【００５０】
ここで、上流側及び下流側とは、記録紙が図３に示す２点鎖線の矢印により示される搬送向きに主搬送路３４１上を搬送されるとき、２点鎖線の矢印により示される搬送向きにおける上流側及び下流側である。以下、単に「上流側」及び「下流側」と略称する。なお、図４に示すように、第１ガイド部３４２を備えた経路カバー３０が経路開口部２６を開放する開放位置に位置するとき、主搬送路３４１における第１ガイド部３４２と対向する部分は、経路開口部２６から露出する。これにより、記録紙が主搬送路３４１上でジャムした場合に、使用者は経路カバー３０を開放位置に回動させることで、ジャムした記録紙を筐体１８の内部から取り除くことができる。
【００５１】
第２ガイド部３４３は、第１ガイド部３４２よりも下流側に配置されており、筐体１８に支持されている。第２ガイド部３４３は、第１ガイド部３４２の上端付近から前方に向かって延設される。第２ガイド部３４３の前端の位置は、概ね給紙ローラ３２３の上方の位置である。第２ガイド部３４３は、所定間隔を隔てて互いに対向する上側第２ガイド３４４と、下側第２ガイド３４５とを有する。上側第２ガイド３４４及び下側第２ガイド３４５の左右方向の長さ及び位置は、第１ガイド部３４２の左右方向の長さ及び位置と概ね同じである。第２ガイド部３４３は、第１ガイド部３４２に案内されて搬送された記録紙が画像記録部３６に向かうように記録紙を案内する。
【００５２】
すなわち、給紙カセット３２１に積載された記録紙は、給紙ローラ３２３により後方に搬送された後に、第１ガイド部３４２及び第２ガイド部３４３に沿って搬送される。第１ガイド部３４２及び第２ガイド部３４３に沿って搬送される記録紙は、上方に向けて案内された後に、前方に向けて案内される。つまり、給紙カセット３２１に積載された記録紙は、下方から上方にＵターンするように主搬送路３４１上を搬送される。
【００５３】
搬送ローラ対３４６は、第２ガイド部３４３の前方、かつ、概ね給紙ローラ３２３の上方に配置される。搬送ローラ対３４６は、駆動される搬送ローラ３４７と搬送ローラ３４７に圧接されるとともに、搬送ローラ３４７に従動して回転する第１ピンチローラ３４８とからなる。搬送ローラ対３４６は、第２ガイド部３４３に沿って搬送された記録紙を、前方に搬送する。なお、第１ピンチローラ３４８は、搬送ローラ３４７の下方に配置される。
【００５４】
搬送ローラ３４７は、駆動源であるＰＦモータ（不図示）に連結される。搬送ローラ３４７は、複数のギアからなる第２伝達機構（不図示）を介して、ＰＦモータの回転が伝達されて回転する。
【００５５】
［画像記録部３６］
画像記録部３６は、筐体１８の後方側に配置され、記録紙に画像を記録する。画像記録部３６は、より詳細には、搬送ローラ対３４６の前方、かつ、概ね給紙機構３２２の上方に配置される。画像記録部３６は、記録ヘッド３６１と、記録ヘッド３６１を支持するキャリッジ３６２と、記録ヘッド３６１に対向して記録紙を支持するプラテン３６３とを備える。記録領域３６４は、プラテン３６３上を搬送される記録紙の搬送経路の一部であり、その詳細は記録ヘッド３６１により決められる。
【００５６】
記録ヘッド３６１は左右方向に移動可能に設置されており、インク滴を吐出して記録紙に画像を記録する。記録ヘッド３６１により画像が記録される領域は記録領域３６４として示される。図５に示すように、記録ヘッド３６１は、その下面にインク滴が吐出される開口である複数のノズル３６５が形成されるノズル面３７を有する。図５において、記録紙が記録ヘッド３６１の下方を通過する際の記録紙の搬送方向は矢印３６６の向きである。ノズル面３７にはシアン（Ｃ）、マゼンダ（Ｍ）、イエロー（Ｙ）、ブラック（Ｂｋ）の４色のインク滴が吐出されるように、各色に対応した複数のノズル３６５の列が設けられる。同じ色のインク滴が吐出される複数のノズル３６５は、前後方向に沿うように一列に並んで配置される。例えば、シアン（Ｃ）のインク滴が吐出されるノズルの列は３６５Ｃで表される。他の色のインク滴が吐出されるノズルの列も同様に表される。また、一列に並んだノズル３６５の各列は、左右方向に並設される。なお、ノズル３６５に供給される各色のインクは、各色のインクカートリッジ（不図示）から供給される。
【００５７】
図３に示すように、キャリッジ３６２は、記録ヘッド３６１を支持する。キャリッジ３６２は左右方向に往復動可能である。なお、キャリッジ３６２の往復動に従って、記録ヘッド３６１は往復動する。キャリッジ３６２は、駆動源であるＣＲモータ（不図示）に連結される。キャリッジ３６２は、複数のギアからなる第３伝達機構（不図示）を介して、ＣＲモータの回転が伝達されて左右方向に往復動する。なお、記録ヘッド３６１は、キャリッジ３６２が左右方向に往復動するのに伴って往復動しながら、ノズル３６５からインク滴が吐出される。これにより、記録ヘッド３６１の下方を矢印３６６の向きに通過する記録紙に画像が記録される。
【００５８】
プラテン３６３は、記録ヘッド３０の下方に配置される。プラテン３６３は、前後方向の寸法よりも左右方向の寸法の方が長い概ね長方形の板状の部材である。プラテン３６３の前後方向及び左右方向の寸法は、後述する記録領域３６４よりも大きい。プラテン３６３は、記録途中の記録紙をプラテン３６３の上面で概ね水平に支持する。
【００５９】
図６に示すように、記録領域３６４は、プラテン３６３上の記録紙に画像が記録される領域である。なお、図６においては、説明を分かりやすくするために、キャリッジ４６２の図示を省略し、記録ヘッド３６１を実線にて示す。記録領域３６４の前後方向の長さは、複数のノズル３６５のうちの最前側に位置するノズル３６５と最後側に位置するノズル３６５との間の長さである。また、記録領域３６４の左右方向の長さは、記録紙に画像が記録される際の記録ヘッド３６１の往復動において、記録ヘッド３６１が最右側に位置する位置３６８における最右側のノズル３６５と記録ヘッド３６１が最左側に位置する位置３６９における最左側のノズル３６５との間の長さである。記録領域３６４の左右方向の位置は、第２ガイド部３４３の左右方向の位置と概ね同じである。また、記録領域３６４の左右方向の長さは、第２ガイド部３４３の左右方向の長さと概ね同じである。なお、キャリッジ３６２及び記録ヘッド３６１は、ノズル３６５のメンテナンスが行われる際などに、記録領域３６４の右端よりもさらに右方、または、左端よりもさらに左方に移動可能である。
【００６０】
ここで、経路開口部２６の前端の位置は、記録領域３６４の前端の位置と概ね同じである。また、経路開口部２６の左右方向の長さは記録領域３６４の左右方向の長さと概ね同じである。したがって、経路開口部２６を開閉可能な経路カバー３０が開放位置にあるとき（図４参照）、プラテン３６３（図３参照）上の記録領域３６４に相当する領域が露出される。これにより、記録紙が記録領域３６４でジャムした場合に、使用者は経路カバー３０を開放位置に回動させることで、ジャムした記録紙を筐体１８の内部から取り除くことができる。
【００６１】
［排紙部４０］
図３に示すように、排紙部４０は、画像記録部３６の前方に配置される。排紙部４０は、画像記録部３６によって画像が記録された記録紙を前方に向けて搬送した後に、排紙トレイ４０５に排紙する。排紙部４０は、排出ローラ対４０１と、排紙トレイ４０５とを有する。
【００６２】
排出ローラ対４０１は、画像記録部３６の前方に配置される。排出ローラ対４０１は、駆動される排出ローラ４０２と、排出ローラ４０２に圧接されるとともに、排出ローラ４０２に従動して回転する第２ピンチローラ４０３とからなる。排出ローラ対４０１は、画像記録部３６によって画像が記録された記録紙を、前方に向けて搬送する。なお、第２ピンチローラ４０３は、排出ローラ４０２の上方に配置される。
【００６３】
排出ローラ４０２は、駆動源であるＰＦモータ（不図示）に連結される、排出ローラ４０２は、複数のギアからなる第４伝達機構（不図示）を介して、ＰＦモータの回転が伝達されて回転する。
【００６４】
排紙トレイ４０５は、排出ローラ対４０１の前方かつ下方に配置され、排出ローラ対４０１によって搬送された記録紙が排紙される。排紙トレイ４０５は、左右方向よりも前後方向のほうが長い概ね長方形の部材である。排紙トレイ４０５の左右方向の長さは、給排紙開口部２２の左右方向の長さよりも小さい。排紙トレイ４０５の前後方向の長さは、筐体１８の前後方向の長さの半分よりも長い。排紙トレイ４０５は、給紙カセット３２１の上部に配置されるように給紙カセット３２１と一体的に構成され、給紙カセット３２１と共に給排紙開口部２２から筐体１８に対して前後方向に挿入される。排紙トレイ４０５が筐体１８に挿入された状態で、排紙トレイ４０５の前端は筐体１８の前端部に位置する。また、排紙トレイ４０５の上下方向の位置は、給排紙開口部２２の上下方向の概ね中央に位置する。これにより、排紙トレイ４０５の上部に複数枚の記録紙が積載される領域が確保される。また、使用者が給排紙開口部２２から記録紙、排紙トレイ４０５、給紙カセット３２１を取り出すための領域が確保される。
【００６５】
［カートリッジ装着部４２］
図１に示すように、カートリッジ装着部４２は筐体１８の前方側、かつ、右方側に配置される。カートリッジ装着部４２は、各色のインクカートリッジ（不図示）が着脱可能に構成されている。カートリッジ装着部４２は、筐体１８のカートリッジ開口部２４から後方側へ繋がる概ね直方体の形状の収納空間を有する。したがって、インクカートリッジはカートリッジ開口部２４からカートリッジ装着部４２に対して前後方向に挿入または抜去される。カートリッジ装着部４２に装着されたインクカートリッジから画像記録部３６にインクが供給される。
【００６６】
［スキャナ部１６の構成］
図３に示すように、スキャナ部１６のフレームを構成するスキャナ筐体部１７は、筐体１８の上方であって、筐体１８の前方側に支持される。スキャナ部１６は、原稿台ガラス５０と、イメージセンサ（不図示）と、原稿台カバー５２とを有し、それぞれがスキャナ筐体部１７に支持される。
【００６７】
図７に示すように、スキャナ筐体部１７は、上下方向よりも、左右方向及び前後方向のほうが長く形成されている。スキャナ筐体部１７の左右方向の長さは、筐体１８の左右方向の長さと概ね同じである。スキャナ筐体部１７の前後方向の長さは、筐体１８の前後方向の長さよりも短い。スキャナ筐体部１７は、後述する原稿台ガラス５０とイメージセンサと原稿台カバー５２とを支持する箱状部１７１と、箱状部１７１を筐体１８に対して固定する固定部１７２とを有する。スキャナ筐体部１７は、樹脂により形成され、より好ましくはＡＢＳ樹脂（アクリロニトリル-ブタジエン-スチレン樹脂）やＰＳ−ＨＩ（ハイインパクトポリスチレン）により形成される。
【００６８】
箱状部１７１は、上下方向よりも前後方向、前後方向よりも左右方向のほうが長い概ね直方体の箱状に形成されている。箱状部１７１の上面１７３には、左右方向に長い概ね長方形の開口１７４が形成されている。
【００６９】
図７及び図８に示すように、固定部１７２は、箱状部１７１と一体的に形成され、箱状部１７１の下端から下方に延出されている。固定部１７２は、箱状部１７１を筐体１８に対して固定する。固定部１７２は、箱状部１７１の左側面の下端から下方に延出された左板１７５と、箱状部１７１の右側面の下端から下方に延出された右板１７６と、箱状部１７１の前面左側の下端から下方に延出された前左板１７７と、箱状部１７１の前面右側の下端から下方に延出された前右板１７８とを有する。左板１７５と右板１７６との上下方向の長さは、筐体１８の上下方向の長さの半分よりも短い。左板１７５及び右板１７６の前後方向の長さは、箱状部１７１の前後方向の長さと概ね同じである。左板１７５及び右板１７６の後端下部には、前後及び左右方向に延出されたねじ穴配置部１７９がそれぞれ配置されている。各ねじ穴配置部１７９には、上下方向に連通されたねじ穴１８０がそれぞれ配置されている。前左板１７７は、箱状部１７１の前面左端から給排紙開口部２２の左端付近までに亘って、箱状部１７１の下端から下方に延出されている。前左板１７７の上下方向の長さは、左板１７５及び右板１７６と同じである。前左板１７７の右端下部には、前後方向に連通されたねじ穴１８１が配置されている。前右板１７９は、箱状部１７１の前面の給排紙開口部２２の右端付近に、箱状部１７１の下端から下方に延出されている、前右板１７９の上下方向の長さは、前左板１７７よりも短い。前右板１７９には、前後方向に連通されたねじ穴１８２が配置されている。つまり、ねじ穴１８１、１８２は、筐体１８における給排紙開口部２２の両側端部に配置されている。そしてスキャナ筐体部１７の前方側は、ねじ穴１８１、１８２を介して筐体１８に固定されている。
【００７０】
スキャナ筐体部１７は、箱状部１７１の左右方向の両端が、筐体１８の左右方向の両端と概ね同じ位置であり、箱状部１７１の前端が筐体１８の前端と概ね同じ位置になるように位置しており、スキャナ筐体部１７が筐体１８の両側壁２１に架け渡されるように固定される。より詳細には、スキャナ筐体部１７は、固定部１７２に設けられたねじ穴１８０、１８１、１８２を介して筐体１８に対してねじ締めされて固定される。
【００７１】
原稿台ガラス５０は、概ね長方形であり、スキャナ筐体部１７の上面に固定されている。原稿台ガラス５０の前後及び左右方向の長さは、開口１７４の前後及び左右方向の長さよりも大きく形成されている。原稿台ガラス５０は、その前後及び左右方向の端部が、開口１７４の対応する端部よりも外側に位置するように配置される。そして、原稿台ガラス５０における開口１７４よりも外側に位置する部分と、それに対向する箱状部１７１とが、両面に粘着性を有する両面テープにより貼り合わされて固定されている。原稿台ガラス５０は、ガラスにより形成され、より好ましくは強化ガラスにより形成されているため、筐体１８やスキャナ筐体部１７よりも剛性が高い。なお、原稿台ガラス５０には、種々のサイズの原稿が載置可能である。
【００７２】
イメージセンサは、原稿台ガラス５０の下方に配置され、原稿台ガラス５０に載置された原稿の画像を読み取る。イメージセンサは、左右方向に移動可能にスキャナ筐体部１７に支持されており、左右方向に移動しながら原稿台ガラス５０に載置された原稿の画像を読み取る。
【００７３】
図３に示すように、原稿台カバー５２は、原稿台ガラス５０の上部に配置され、原稿台ガラス５０の上面５０１を覆っている。原稿台カバー５２の左右方向及び前後方向の長さは、開口１７４の左右方向及び前後方向の長さよりも長い。原稿台カバー５２は、原稿台カバー５２の後端部に設けられた回動軸（不図示）を中心に回動可能に配置される。原稿台カバー５２の回動軸はスキャナ筐体部１７の後方に支持される。つまり、原稿台カバー５２は、原稿台カバー５２の自由端である前方側が上下に移動するように、原稿台カバー５２の後端側を中心に回動する。原稿台カバー５２は、原稿台ガラス５０の上面５０１を覆う被覆位置（図３に実線で示す位置）と、原稿台ガラス５０の上面５０１を開放する開放位置（図３に２点鎖線で示す位置）とに回動可能である。
【００７４】
ここで、スキャナ筐体部１７は、原稿台ガラス５０と記録領域３６４との少なくとも一部が上下方向において重ならない位置に原稿台ガラス５０が筐体１８に対して配置される。なお、少なくとも一部とは、経路開口部２６からプラテン３６３上の記録領域３６全体が目視できる程度である。これにより、記録領域３６において用紙のジャムが生じた場合に、ジャム処理を確実に行うことができる。そして、原稿台は、筐体１８の左右方向の両側壁２１に架け渡された状態で固定されている。これにより、経路カバー３０を開放位置に回動させてプラテン３６３上の記録領域３６４に相当する領域を露出させる場合に、原稿台ガラス５０により記録領域３６４の露出が妨げられるのを防ぐことができる。
【００７５】
複合機１０が左右方向の中央部の下に支えがない場所に載置された場合に、筐体１８には、筐体１８内部に配置された上述の画像記録部３６や給紙機構３２２などの各種装置の重量により、筐体１８の中央部が下向きに撓もうとする力が働く。ここで、複合機１０は、剛性の高い原稿台ガラス５０を有するスキャナ筐体部１７が、筐体１８の両側壁２１に架け渡されるように筐体１８に対して固定されている。そのため、スキャナ筐体部１７が筐体１８に対して補強する役割を果たし、筐体１８の左右方向の中央部は撓みにくい。より詳細には、スキャナ筐体部１７の後端における各ねじ穴配置部１７６と、スキャナ筐体部１７の前端における前左板１７４及び前右板１７５とが、ねじにより筐体１８に対して固定されている。そして、前左板１７４及び前右板１７５におけるねじ穴１８１、１８２は、筐体１８の両端よりも中央寄りに配置されている。なお、ねじ穴１８１、１８２は、スキャナ筐体部１７筐体１８における給排紙開口部２２の両側端部に配置されている。そのため、筐体１８の中央部が撓むのを抑制することができるよって、複合機１０が左右方向の中央部の下に支えがない場合であっても、筐体１８の撓みが抑制されるため、筐体１８に支持される搬送部への撓みの影響を抑制することができ、記録紙の斜行や記録される画像の品質の低下を防止できる。
【００７６】
また、記録領域３６４でジャムが生じた場合には、使用者が経路カバー３０を開放位置に回動させることにより、プラテン３６３上の記録領域３６４が開放されるため、記録紙のジャム処理が可能となる。ここで、記録領域の上部に原稿台が配置された従来の薄型の複合機においては、記録領域の上部を開放してジャム処理を行う場合には、重量物である原稿台を使用者が回動させる必要があった。その場合と比較して、本実施形態の複合機１０では、原稿台を有するスキャナ筐体部と比較して軽量な経路カバー３０を回動すれば記録領域３６４のジャム処理ができるため、使用者への負担が低減できる。さらに、経路カバー３０を開放位置に回動させることで主搬送路３４１も露出される。したがって、使用者は、記録領域３６４または主搬送路３４１のジャム処理を行うために、経路カバー３０を回動すればよく使い勝手が良い。
【００７７】
なお、本実施形態におけるノズル面３７、本発明の吐出面の一例である。プラテン３６３が、本発明の支持部の一例である。記録領域３６４が、本発明の記録領域の一例である。画像記録部３６が、本発明の記録部の一例である。排紙トレイ４０５が、本発明の排出部の一例である。原稿台ガラス５０が、本発明の原稿台の一例である。スキャナ部１６が、本発明の読取部の一例である。筐体１８が、本発明の筐体の一例である。両側壁２１が、本発明の両側壁である。給排紙開口部２２が、本発明の第１開口の一例である。経路開口部２６が、本発明の第２開口の一例である。経路カバー３０が、本発明の第１カバーの一例である。原稿台ガラス５０の上面５０１が、本発明の原稿載置面の一例である。給紙カセット３２１が、本発明の積載部の一例である。主搬送路３４１が、本発明の湾曲搬送路の一例である。主搬送部３４が、本発明の搬送部の一例である。経路開口部２６が、本発明の第２開口及び第３開口の一例である。経路カバー３０が、本発明の第１カバー及び第２カバーの一例である。カートリッジ装着部４２が、本発明のカートリッジ装着部の一例である。カートリッジ開口部２４が、本発明の第３開口の一例である。カートリッジカバー２８が、本発明の第４カバーの一例である。
【００７８】
［第２実施形態］
次に、図９ないし図１１を用いて、複合機１０の第２実施形態を説明する。なお、第１実施形態と共通する構成については、共通の符号を付し、その説明を省略する。
【００７９】
［筐体１８の構成］
図９、１０に示すように、筐体１８には、給排紙開口部２２とカートリッジ開口部２４と主搬送路開口部６４と記録領域開口部６６と経路カバー６８と記録領域カバー７０とが配置されている。筐体１８の前面には複数の操作ボタン１２が配置され、上面の後方側には複数の後方操作ボタン７２が配置されている。さらに、筐体１８の上面の後方側には、送受話器装着部７４が配置されている。
【００８０】
主搬送路開口部６４は、筐体１８の後面の下方側であって、左右方向の中央部に配置されている。主搬送路開口部６４の下端は筐体１８の下端付近に位置し、主搬送路開口部６４の上端は概ね記録部３６の上端付近に位置する。主搬送路開口部６４の左右方向の長さ及び位置は、給排紙開口部２２の左右方向の長さ及び位置と概ね等しい。主搬送路開口部６４は、主搬送路３４１を開放するための開口である。
【００８１】
記録領域開口部６６は、筐体１８の上面２３の後方側であって、左右方向の中央部に配置されている。記録領域開口部６６の後端は筐体１８の後端付近に位置し、記録領域開口部６６の前端は記録領域３６４の前端付近に位置する。記録領域開口部６６の左右方向の長さ及び位置は、給排紙開口部２２の左右方向の長さ及び位置と概ね等しい。記録領域開口部６６は、記録領域３６３の上部を開放するための開口である。
【００８２】
経路カバー６８は、主搬送路開口部６４を覆うカバー部材である。経路カバー６８は、その下端部を回動軸６８１として、主搬送路開口部６４を閉塞する閉塞位置と開放する開放位置（不図示）とに回動可能である。なお、経路カバー６８の閉塞位置は図１０に示される位置である。経路カバー６８は、複合機１０の内部側を中心とした概ね円弧状の部材である。経路カバー６８の内側には第１ガイド部３４２が配置されている。このため、経路カバー６８を開放位置に位置するとき、主搬送路３４１の上流側は、主搬送路開口部６４から露出する。これにより、記録紙が主搬送路３４１上でジャムした場合に、使用者は経路カバー６８を開放位置に回動させることで、ジャムした記録紙を筐体１８の内部から取り除くことができる。
【００８３】
記録領域カバー７０は、記録領域３６４を覆うカバー部材である。記録領域カバー７０は、その後端部を回動軸７０１として記録領域３６４を閉塞する閉塞位置と開放する開放位置（不図示）とに回動可能である。なお、記録領域カバー７２の閉塞位置は図１０に示される位置である。記録紙が記録領域３６４でジャムした場合に、使用者は記録領域カバー７２を開放位置に回動させることで、ジャムした記録紙を筐体１８の内部から取り除くことができる。
【００８４】
図９に示すように複数の後方操作ボタン７２は、筐体１８の上面２３の後方側であって、記録領域開口部６６よりも左側に配置されている。複数の後方操作ボタン７２から入力された指示内容は、複合機１０の制御部（不図示）に伝達される。このような構成により、送受話器装着部７４が筐体１８の上面２３の後端側に配置される本実施形態の複合機１０において、使用者が後方側から複合機１０を操作する場合であっても、後方操作ボタン７２が筐体１８の上面２３の後方側に配置されているため、使用者による後方側からの操作性が向上する。なお、筐体１８の前面２０には複数の操作ボタン１２が配置されているため、使用者による前方側からの操作が妨げられることはない。
【００８５】
送受話器装着部７４は、筐体１８の上面２３の後端部に配置される。送受話器装着部７４は、より詳細には、主搬送路開口部６４よりも上方であって、かつ、記録領域開口部６６よりも後方に配置される。送受話器装着部７４は筐体１８に支持される。送受話器装着部７４には、送受話器７４１が着脱可能である。送受話器７４１は、音声信号に基づく音声が入出力される機能を有する部材である。
【００８６】
［スキャナ部１６の構成］
スキャナ部１６のフレームを構成するスキャナ筐体部１７は、筐体１８の上方であって、筐体１８の前方側に配置される。スキャナ部１６は、原稿台ガラス５０とイメージセンサ（不図示）と、原稿台カバー７６と、一対のカバー軸部７８Ｂ、７８Ｆとを有し、それぞれがスキャナ筐体部１７に支持される。カバー軸部７８は、原稿台カバー８２を回動可能に支持する。なお、カバー軸部７８Ｂは、スキャナ部１６の後端側に配置されており、カバー軸部７８Ｆは、スキャナ部１６の前端側に配置されている。以下、一対の部材に対しては、「Ｂ」及び「Ｆ」を添え、「Ｂ」はスキャナ部の後端側に配置される部材を示し、「Ｆ」は前端側に配置される部材を示す。
【００８７】
原稿台カバー７６は、原稿台ガラス５０の上部に配置され、原稿台ガラス５０の上面５０１を覆っている。原稿台カバー７６は、原稿台ガラス５０の上面５０１を覆う被覆位置（図１０の実線で示す位置）と、原稿台ガラス５０の上面５０１を開放する開放位置（図１０の１点鎖線もしくは２点鎖線で示す位置）とに回動可能である。原稿台カバー７６は、原稿台カバー７６の後端側７６１Ｂ及び前端側７６１Ｆに設けられたカバー軸部７８Ｂ、７８Ｆを中心に回動可能に配置される。原稿台カバー７６は、後端側７６１Ｂに設けられたカバー軸部７８Ｂを回動中心するときは、前端側７６１Ｆを自由端として前端側７６１Ｆが上下に移動するように矢印７６３の向きに回動可能である。また、前端側７６１Ｆに設けられたカバー軸部７８Ｆを回動中心とするときは、後端側７６１Ｂを自由端として後端側７６１Ｂが上下に移動するように矢印７６４の向きに回動可能である。
【００８８】
図１１に示すように、カバー軸部７８Ｂ、７８Ｆは、筐体１８に配置される軸受部７８１Ｂ、７８１Ｆと、原稿台カバー７６に配置される軸部７８２Ｂ、７８２Ｆとを有する。
【００８９】
軸受部７８１Ｂ、７８１Ｆは、原稿台ガラス５０よりも後方側及び前方側にそれぞれ配置され、筐体１８に支持される。軸受部７８１Ｂ、７８１Ｆは、左右方向に沿って延出されており、内部に円柱形の空間７８２Ｂ、７８１Ｆを有している。軸受部７８１Ｂ、７８１Ｆの左右方向の長さは、筐体１８の左右方向の長さよりも短い。空間７８２Ｂ、７８２Ｆは軸受部７８１Ｂ、７８１Ｆの右端から左端までに亘って配置される。軸受部７８１Ｂ、７８１Ｆは、空間７８２Ｂ、７８２Ｆの上部が開放されるように、左右方向に延出された孔を有している。この孔の前後方向の長さは、円筒形の空間７８２Ｂ、７８２Ｆの前後方向の長さの最大長よりも短い。
【００９０】
軸部７８２Ｂ、７８１Ｆは、原稿台カバー７６の後端側７６１Ｂ及び前端側７６１Ｆであって、軸受部７８１Ｂ、７８１Ｆと対向する位置にそれぞれ取り付けられている。軸部７８２Ｂ、７８２Ｆは、左右方向に沿って延出されており、軸棒７８３Ｂ、７８３Ｆと軸棒支持部７８４Ｂ、７８４Ｆとをそれぞれ有している。
【００９１】
軸棒７８３Ｂ、７８３Ｆは、左右方向に沿って延出された概ね楕円柱の部材である。軸棒７８３Ｂ、７８３Ｆは、空間７８２Ｂ、７８２Ｆの内部に配置された状態と、空間７８２Ｂ、７８２Ｆから離脱された状態とに移動可能である。軸棒７８３Ｂ、７８３Ｆの前後方向の断面は、上下方向の長さが前後方向の長さよりも長い概ね楕円形である。軸棒７８３Ｂ、７８３Ｆは、軸棒７８３Ｂ、７８３Ｆの前後方向の断面における最大長は、円柱状の空間７８２Ｂ、７８２Ｆの直径と概ね同じである。また、軸棒７８３Ｂ、７８３Ｆの前後方向の断面における最短長は、軸受部７８１Ｂ、７８１Ｆに設けられた孔の前後方向の長さよりも短い。
【００９２】
軸棒支持部７８４Ｂ、７８４Ｆは、軸棒７８３Ｂ、７８３Ｆの両端部に配置され、軸棒７８３Ｂ、７８３Ｆが原稿台カバー７６に対して固定して配置されるように軸棒７８３Ｂ、７８３Ｆを支持する。軸棒支持部７８４Ｂ、７８４Ｆは、上下方向に延出された部分と、左右方向に延出された部分とを有する「Ｌ」字型の棒状の部材である。軸棒支持部７８４Ｂ、７８４Ｆは、軸棒支持部７８３Ｂ、７８３Ｆの上端である一方の端が原稿台カバー７６に取り付けられており、他方の端が軸棒７８３Ｂ、７８３Ｆに取り付けられている。なお、軸棒７８３Ｂ、７８３Ｆは軸棒支持部７８３Ｂ、７８３Ｆに対して回転しないように取り付けられている。
【００９３】
原稿台カバー７６及びカバー軸部７８Ｂ、７８Ｆの動作を以下に説明する。原稿台カバー７６が原稿台の上面５０１を覆う被覆位置に位置するとき、原稿台カバー７６の後端側７６１Ｂ及び前端側７６１Ｆに設けられた各カバー軸部７８Ｂ、７８Ｆの各軸棒７８３Ｂ、７８３Ｆは、対応する各空間７８２Ｂ、７８２Ｆの内部に位置している。例えば、図１０に示す２点鎖線で示すように、原稿台カバー７６が、後端側７６１Ｂに設けられたカバー軸部７８Ｂを回動中心として回動するときには、原稿台カバー７６の後端側７６１Ｂに設けられたカバー軸部７８Ｂは、軸棒７８３Ｂが空間７８２Ｂの内部に配置された状態で回転することにより、原稿台カバー７６の回動軸として機能する。一方、原稿台カバー７６の前端側７６１Ｆに設けられたカバー軸部７８Ｆは、原稿台カバー７６の前端側７６１Ｆが上方に移動するのに伴って軸棒７８３Ｆが対応する空間７８２Ｆから離脱する。このように、原稿台カバー７６は、原稿台カバー７６の後端側７６１Ｂ及び前端側７６１Ｆに設けられた各カバー軸部７８Ｂ，７８Ｆを回動中心として回動することができる。
【００９４】
このような構成により、送受話器装着部７４が筐体１８の上面２３の後端側に配置される本実施形態の複合機１０において、使用者が後方側から複合機１０を操作する場合であっても、原稿台カバー７６は前端側７６１Ｆに設けられたカバー軸部７８Ｆを回動中心として回動可能であるため、使用者による後方側からの操作性が向上する。なお、原稿台カバー７６は、後端側７６１Ｂに設けられたカバー軸部７８Ｂを回動中心として回動可能であるため、使用者による前方側からの操作が妨げられることはない。
【００９５】
なお、本実施形態における主搬送路開口部６４が、本発明の第３開口の一例である。記録領域開口部６６が、本発明の第２開口の一例である。経路カバー６８が、本発明の第２カバーの一例である。記録領域カバー７０が、本発明の第１カバーの一例である。送受話器７４１が、本発明の送受話器の一例である。原稿台カバー７６が、本発明の第３カバーの一例である。軸受部７８１Ｂ、７８１Ｆが、本発明の軸支持部の一例である。軸部７８２Ｂ、７８２Ｆが、本発明の回動軸部の一例である。
【００９６】
［第３実施形態］
次に、図１２を用いて、複合機１０の第３実施形態を説明する。なお、第１実施形態及び第２実施形態と共通する構成については、共通の符号を付し、その説明を省略する。
【００９７】
［筐体１８の構成］
筐体１８には、給排紙開口部２２とカートリッジ開口部２４と主搬送路開口部６４と記録領域開口部６６と経路カバー６８と手差兼用カバー８０と、記録領域カバー８２とが配置されている。
【００９８】
手差兼用カバー８０は、記録領域開口部６６を覆うカバー部材である。手差兼用カバー８０は、その後端部を回動軸８０１として、記録領域開口部６６を閉塞する閉塞位置（不図示）と開放する開放位置とに回動可能である。なお、手差兼用カバー８０の開放位置は図１２に示される位置である。手差兼用カバー８０は、後述する手差給紙部８４の一部を兼用する。
【００９９】
記録領域カバー８２は、閉塞位置に位置する手差兼用カバー８０よりも複合機１０の内部側であって、画像記録部３６の上部に配置され、記録領域３６４を覆うカバー部材である。記録領域カバー８２は、その後端部を回動軸８２１として記録領域３６４を閉塞する閉塞位置と開放する開放位置（不図示）とに回動可能である。なお、記録領域カバー８２の閉塞位置は図１２に示される位置である。記録紙が記録領域３６４でジャムした場合に、使用者は手差兼用カバー８０と記録領域カバー８２とを開放位置に回動させることで、ジャムした記録紙を筐体１８の内部から取り除くことができる。
【０１００】
［プリンタ部１４の構成］
プリンタ部１４は、給紙部３２と、主搬送部３４と、画像記録部３６と、排紙部４０と、手差給紙部８４と、カートリッジ装着部４２とを有し、それぞれが筐体１８に支持されている。
【０１０１】
［手差給紙部８４］
手差給紙部８４は、筐体１８の後方側の上部に配置される。手差給紙部８４は、より詳細には、主搬送路３４１の上部付近に配置される。手差給紙部８４は、手差トレイ８４１と、手差搬送部８４２とを有する。
【０１０２】
手差トレイ８４１は、筐体１８の後端側の上部に配置される。手差トレイ８４１は、開放位置にある手差兼用カバー８０と下側手差ガイド８４３とにより構成される。手差トレイ８４１に載置された記録紙は、後述の手差搬送部８４２により画像記録部３６に向かって搬送される。
【０１０３】
手差兼用カバー８０は、手差トレイ８４１の上方部分を構成する。手差兼用カバー８０は、開放位置に位置するときに、手差兼用カバー８０の内側の面で載置される記録紙を支持する。手差兼用カバー８０は、自由端側に手差兼用カバー８０の内側の面から立設された幅ガイド８４４を有する。幅ガイド８４４は、手差兼用トレイ７０の延出方向に沿って立設し、左右方向にスライド可能である。幅ガイド８４４は、手差兼用カバー８０の内側の面に載置された記録紙の端に当接可能である。これにより、搬送される記録紙の斜行が防止される。
【０１０４】
下側手差ガイド８４３は、手差トレイ８４１の下方部分を構成する。下側手差ガイド８４３は、筐体１８の後方側の上部に配置される。下側手差ガイド８４３は、より詳細には、筐体１８の後面であって、主搬送路開口部６４と記録領域開口部６６との間に配置される。下側手差ガイド８４３は、手差兼用カバー８０の下方に位置し、開放位置にある手差兼用カバー８０の内側の面との協働により載置された記録紙を支持する。下側手差ガイド８４３は、筐体１８に配置される。
【０１０５】
手差搬送部８４２は、手差トレイ８４１に載置された記録紙を画像記録部３６に向けて搬送する。手差搬送部８４２によって搬送される記録紙は手差搬送路８４５上を搬送される。手差搬送部８４２は、手差トレイ８４１に載置された記録紙を給紙する手差給紙ローラ８４６と、記録紙が手差搬送路８４５上を搬送されるように記録紙を案内する第２ガイド部８４７と、記録紙を搬送する搬送ローラ対３４６とを有する。
【０１０６】
手差給紙ローラ８４６は、手差トレイ８４１の下端付近に配置される。手差給紙ローラ８４６は、手差トレイ８４１に載置された記録紙に当接可能である。手差トレイ８４１に載置された記録紙を前方に向けて搬送する。
【０１０７】
第２ガイド部８４７は、上側第２ガイド８４８と、下側第２ガイド３４５とを有する。上側第２ガイド８４８及び下側第２ガイド３４５は、手差トレイ８４１から搬送された記録紙が手差搬送路８４５上を搬送されるように記録紙を案内する。なお、第２ガイド部８４７は、給紙部３２から搬送された記録紙が主搬送路３４１上を搬送されるように記録紙を案内する役割も果たす。
【０１０８】
なお、本実施形態における手差兼用カバー８０及び記録領域カバー８２とが、本発明の第１カバーの一例である。手差トレイ８４１が、本発明の記録媒体載置面の一例である。手差搬送路８４５が、本発明の載置搬送路の一例である。手差搬送部８４２が、本発明の搬送部の一例である。幅ガイド８４４が、本発明のガイド部の一例である。
【０１０９】
［第４実施形態］
次に、図１３を用いて、複合機１０の第４実施形態を説明する。なお、第１実施形態ないし第３実施形態と共通する構成については、共通の符号を付し、その説明を省略する。
【０１１０】
複合機１０は、プリンタ部１４のフレームを構成する筐体１８及びスキャナ部１６のフレームを構成するスキャナ筐体部１７を有する。スキャナ筐体部１７は、原稿台８６１の上面８６３がその前端側から後端側に向けて上方に傾斜するように、筐体１８に対して配置され、スキャナ筐体部１７が筐体１８の両側壁２１に架け渡されるように筐体１８に対して固定されている。イメージセンサ及び原稿台カバー８６２は、原稿台８６１の傾斜角度と同じ角度で配置されている。
【０１１１】
筐体１８の下端部から原稿台ガラス５０までの距離は、筐体１８の後方側よりも前方側の方が小さくなる。複合機１０が左右方向の中央部の下に支えがない場所に載置された場合に、筐体１８内部に配置された上述の画像記録部３６や給紙機構３２２などの各種装置の重量により筐体１８の左右方向の中央が下方に撓む。筐体１８の中央部が下方に撓むと、筐体１８の側壁は、各側壁の下端部同士が互いに離間するように傾斜する。このとき、筐体１８の下端部から原稿台ガラス５０までの距離は、筐体１８の後方側よりも前方側の方が小さいため、筐体１８の側壁の下端部の左右方向の変位量は、筐体１８の後方側よりも前方側の方が小さい。そのため、筐体１８の撓みが、筐体の前方側に配置される部材、例えばインクカートリッジ（不図示）や基板（不図示）などに与える影響を低減させることができる。また、使用者が前方から原稿台８６１の上面８６３に原稿を載置する場合に、原稿台８６１が手前側に傾斜しているため、使用者による原稿台８６１の視認性が良く使い勝手が良い。
【０１１２】
［変形例］
複数のノズル３６５の配列は上述した配列でなくてもよい。例えば、複数の記録ヘッドを有し、各記録ヘッドに各色のインクが吐出される複数のノズルが配置されていてもよい。また、各色のノズルの列は複数であってもよい。
【０１１３】
給紙カセット３２１と排紙トレイ４０５は、別体で構成されていてもよい。また、排紙トレイ４０５は筐体１８に固定されていてもよい。
【０１１４】
スキャナ部は、複数枚の原稿が自動で読み取られる自動読取装置をさらに備えていてもよい。
原稿台の配置位置は、上述の位置に限らず、筐体１８の中央部よりも右方もしくは左方に配置されていてもよい。原稿台カバー７６の後端側７６１及び前端側７６２に設けられた各カバー軸部７８は、上述の構成に限らず、原稿台カバー７６が前方側または後方側から回動できる構成であればよい。
【０１１５】
固定部１７２の形状は上述の構成に限らず、箱状部１７１を筐体１８に対して固定可能な構成であればよい。また、固定部１７２に配置されるねじ穴１７５、１７６は上述の４つに限らず、さらに備えていてもよい。
【０１１６】
筐体１８は、さらに他の部材を支持していてもよい。また、筐体１８は、各開口部（給排紙開口部２２、カートリッジ開口部２４、経路開口部２６、主搬送路開口部６４、記録領域開口部６６）を有する形状であればよい。
【０１１７】
給排紙開口部２２は排紙トレイ４０５が挿抜可能であればよい。なお、その場合には、筐体１８は給紙カセット３２１が挿抜されるための開口をさらに備える。また、経路開口部２６、記録領域開口部６６は、記録領域３６４のジャム処理が可能な程度に、記録領域３６４の少なくとも一部を開放可能な形状であればよい。
【０１１８】
経路カバー３０の構成及び筐体１８に対する位置は、上述のものに限らず、記録領域３６４及び主搬送路３４１の上流側を開放する開放位置と閉塞する閉塞位置とに移動可能であればよい。例えば、経路カバー６８は、回動軸６８１を備えず、筐体１８に対して着脱可能に構成されていてもよい。
【０１１９】
カートリッジカバー２８の構成及び筐体１８に対する位置は、上述のものに限らず、カートリッジ開口部２４を開放する開放位置と閉塞する閉塞位置とに移動可能であればよい。例えば、カートリッジカバー２８は、回動軸２８１を備えず、筐体１８に対して着脱可能に構成されていてもよい。
【０１２０】
記録領域カバーの構成及び筐体１８に対する位置は、上述のものに限らず、記録領域３６４を開放する開放位置と閉塞する閉塞位置とに移動可能であればよい。例えば、記録領域カバーは、回動軸を備えず、筐体１８に対して着脱可能に構成されていてもよい。
【符号の説明】
【０１２１】
１４・・・プリンタ部
１６・・・スキャナ部
１７・・・スキャナ筐体部
１８・・・筐体
２２・・・給排紙開口部
２４・・・カートリッジ開口部
２６・・・経路開口部
２８・・・カートリッジカバー
３０・・・経路カバー
３４・・・主搬送部
３６・・・画像記録部
３６１・・・記録ヘッド
３６４・・・記録領域
４０５・・・排紙トレイ
４２・・・カートリッジ装着部
５０・・・原稿台
５２・・・原稿台カバー
６４・・・主搬送路開口部
６６・・・記録領域開口部
７０・・・記録領域カバー
７４１・・・送受話器
７８・・・カバー軸部
７８１・・・軸受部
７８２・・・軸部
８０・・・手材兼用カバー
８４２・・・手差搬送部
【図１】
2011205178.tif 000003
【図２】
2011205178.tif 000004
【図３】
2011205178.tif 000005
【図４】
2011205178.tif 000006
【図５】
2011205178.tif 000007
【図６】
2011205178.tif 000008
【図７】
2011205178.tif 000009
【図８】
2011205178.tif 000010
【図９】
2011205178.tif 000011
【図１０】
2011205178.tif 000012
【図１１】
2011205178.tif 000013
【図１２】
2011205178.tif 000014
【図１３】
2011205178.tif 000015